(57)【特許請求の範囲】
【請求項１】
筐体内に収められた電動モータと、前記筐体外に出された前記電動モータの回転軸と、この回転軸に取り付けられて回転して回転面で身体を摩るようにする柔軟な羽根車とから成り、この羽根車の羽根は回転時にその回転面に於いて肌に引っ掛かるような感触を与えにくいように、回転方向に凸湾曲させて成るものであるか、または肌に触れてその抵抗を受けることで回転方向に凸湾曲するものであり、この羽根車は縦断面形状が円錐台形の回転台と２種類の柔軟な羽根とから成り、２種類の前記羽根は前記回転台に対して回転台の上面部と側面部とに両者を跨るようにして設けられており、２種類の前記羽根は横幅が同一であるものの、縦幅に付いては一方が長い羽根で他方が短い羽根であり、且つ前記長い羽根と前記短い羽根とは交互に前記回転軸回りに回転対称に配列されており、更に前記電動モータの回転軸に取り付けられて回転面で身体を摩るようにする柔軟なブラシ車を有している、身体接触部位を摩るマッサージ器。
【発明の詳細な説明】
【技術分野】
【０００１】  本発明は、これまでにない新感覚の摩りが可能なマッサージ器に関する。
【背景技術】
【０００２】  東洋医学で言う所の「あんま」や「指圧」は所謂マッサージのことであり、患部に対して手の指や手のひらで摩る、揉む、叩く、押すなどを行うことである。例えば特開２００９−０５０５７５の「手マッサージ器」は空気で幹部を圧迫するためのものであり、特開２００９−１６５５７１の「電動器具」は指圧に係る器具であり、特開２０１０−１１５４５９は「足裏マッサージ器」に関するものである。
【先行技術文献】
【特許文献】
【０００３】
【特許文献１】特開２００９−０５０５７５号公報
【特許文献２】特開２００９−１６５５７１号公報
【特許文献３】特開２０１０−１１５４５９号公報
【特許文献４】特許第５５７８３５８号公報（後出）
【特許文献５】実用新案登録第３１７０８６１号公報（後出）
【発明の概要】
【発明が解決しようとする課題】
【０００４】  手の指や手のひらで摩る、揉む、叩く、押すことの内、揉む、叩く、押すは上掲の先行技術によって実現されている。しかしながらサワサワとした柔軟さを伴ってソフトに皮膚を摩ることが出来るようなマッサージ器と言うものはこれまでにはなかった。【０００５】  もしもこのような動作をするマッサージ器があれば、皮膚にとって新感覚のマッサージを与えるものとなるに違いない。ある意味で癒し的なマッサージであると言える。またこのようなマッサージ器を従来のマッサージ器と併用することが出来ればなお良い。そこで本発明はこのような摩り方が可能な全く新しいマッサージ器の提供を課題とする。
【課題を解決するための手段】
【０００６】  なお当発明者は先に特許第５５７８３５８号および実用新案登録第３１７０８６１号のマッサージ器を実用化したが、更にこれ等とはまた異なる摩り方の異なるマッサージ器を提供したいものと考えた。【０００７】  そこで本発明は、筐体内に収められた電動モータと、前記筐体外に出された前記電動モータの回転軸と、この回転軸に取り付けられて回転して回転面で身体を摩るようにする柔軟なブラシ車とから成る身体接触部位を摩るマッサージ器を提供して、上記課題を解決する。柔軟なブラシ車は電動モータによって回転するが、ブラシ車は筐体外に出ているためにこの回転面すなわちブラシの先で身体を摩ることが出来る。しかもサワサワとした柔軟さを伴いソフトに皮膚を摩るこの感覚は、マッサージ器としては全く新しく癒し的なものである。その用途として美顔マッサージや頭皮マッサージや痛む筋肉表層のマッサージなどを上げる。なお本発明のマッサージ器によれば、ブラシの先の回転面で肌に接するのであって、特許第５５７８３５８号や実用新案登録第３１７０８６１号のマッサージ器とは身体を摩る方向が違うため、得られる感覚にも大きな違いを生ずる点が特徴である。【０００８】  また上記課題は本発明によれば、筐体内に収められた電動モータと、前記筐体外に出された前記電動モータの回転軸と、この回転軸に取り付けられて回転して身体を摩るようにする柔軟な羽根車とから成り、この羽根車の羽根は回転時に「その回転面に於いて」肌に引っ掛かるような感触を与えにくいように、回転方向に凸湾曲させて成るものであるか、または肌に触れてその抵抗を受けることで回転方向に凸湾曲するものである、身体接触部位を摩るマッサージ器を提供することによって上記課題を解決する。柔軟な羽根車は電動モータによって回転するが、羽根車は筐体外に出ているためにこの回転面すなわち羽根車の先で身体を摩ることが出来る。回転する１枚１枚の羽根でサワサワとした柔軟さを伴いソフトに皮膚を摩るこの感覚は、マッサージ器としては全く新しく癒し的なものである。この用途として美顔マッサージや頭皮マッサージや痛む筋肉表層のマッサージなどを上げる。なお本発明のマッサージ器によれば、羽根車の先の回転面で肌に接するのであって、特許第５５７８３５８号や実用新案登録第３１７０８６１号のマッサージ器とは身体を摩る方向が違うために、得られる感覚にも大きな違いを生ずる点が特徴である。なお羽根車の回転中心部に柔軟なブラシ車を有しているものでは、上記羽根車の先の回転面と共に、ブラシの先の回転面でも肌に接するので、従来のマッサージ器とは大きく異なる新感覚の癒し的なマッサージ効果がある。なお同時に回転する羽根車とブラシ車ではあるが、羽根車部分だけを肌に接するようにする、或いはブラシ車部分だけを肌に接するようにする、と言うような使い分けも可能である。【０００９】  また上記課題は本発明によれば、筐体内に収められた電動モータと、前記筐体外に出された前記電動モータの回転軸と、この回転軸に取り付けられて回転して身体を摩るようにする柔軟な羽根車とから成り、この羽根車の羽根は前記回転軸に取り付けられた回転台の２面に亘って接続されていることを特徴とする、身体接触部位を摩るマッサー���器を提供することによって上記課題を解決する。柔軟な羽根車は電動モータによって回転するが、羽根車は筐体外に出ているためにこの回転面すなわち羽根車の先で身体を摩ることが出来る。特にこの羽根車の羽根は回転台の２面に亘って接続されている。このため羽根の先が回転台の先側の第１の面から先方に向かって伸びており、ここが肌に触れると良く撓ってソフトに肌を摩る性能に優れる。なお同様にこの羽根車の側面が、回転台のもう１面である第２の面から側面方向に向かって伸びており、羽根のこの部位でも肌に触れた際に良く撓ってソフトに肌を摩ることが出来るようになっている。すなわち本発明の羽根車によれば、羽根車の羽根の第１の面、第２の面共に、回転する１枚１枚の羽根でサワサワとした柔軟さを伴いソフトに皮膚を摩ることが出来るのである。この感覚は、マッサージ器としては全く新しく癒し的なものである。この用途として美顔マッサージや頭皮マッサージや痛む筋肉表層のマッサージなどを上げる。なお羽根車の上記第１の面の回転中心部に柔軟なブラシ車を有しているものでは、上記羽根車の先の回転面と共に、ブラシの先の回転面でも肌に接するので、従来のマッサージ器とは大きく異なる新感覚の癒し的なマッサージ効果がある。なお同時に回転する羽根車とブラシ車ではあるが、羽根車部分だけを肌に接するようにする、或いはブラシ車部分だけを肌に接するようにする、と言うような使い分けも可能である。【００１０】  さて、本発明の上述した３種の解決手段に於いて、前記ブラシ車または前記羽根車が前記回転軸に着脱部を以て着脱自在に設けられているものとすることが出来る。この構成により、消耗するブラシ車や羽根車のメンテナンスが容易になる。またブラシには、毛足の長いものや短いもの、極柔らかいものやそれほどではないもの、各種の異なる素材に成るもの等々、異なる柔軟さを持つものがある。同様に羽根には、異なる形状のものや異なる素材から成るものなどがある。従ってブラシ部や羽根部が回転軸に対して着脱自在であれば、これ等を適宜交換して使うことが出来るようにもなる。【００１１】  なお本発明では、前記筐体は更に、他のマッサージ器に固定的にまたは着脱自在に取り付けるための手段を備えているものとすることが出来る。これによって他のマッサージ器による揉む、叩く、押すなどの感触に加えて、本発明のブラシ車や羽根車によるソフトに皮膚を摩る新しい感覚を味わうことが可能になる。また前記ブラシ車や羽根車が前記筐体に複数並設されているものとすることが出来る。これにより身体を摩ることの出来る面積を増やすことが可能になる。なお回転するブラシ車や羽根車の先の回転面で身体を摩るようにするわけであるから、例えば２個のブラシ車を並設した場合に、両者共に順回転するようにも各々逆回転するようにも設計可能である。それぞれ身体を摩るサワサワ感が異なったものになる。羽根車に付いても同様である。またブラシ車と羽根車とを並設するような設計も可能であり、この場合にもやはりそれぞれで身体を摩るサワサワ感が異なったものになる。
【発明の効果】
【００１２】  以上本発明のマッサージ器によれば、サワサワとした柔軟さを伴って、ソフトに皮膚を摩るようなマッサージが可能となっている。これは新感覚のマッサージ効果であると言うことが出来る。
【図面の簡単な説明】
【００１３】
【図１】  実施例１の全体を表した説明図である。
【図２】  実施例１の回路部分を表した説明図である。
【図３】  実施例２の全体を表した説明図である。
【図４】  実施例３の羽根車５２の回転面を見た説明図である。
【図５】  実施例３のＸ−Ｘ面を見た説明図である。
【図６】  実施例４の説明図である。
【発明を実施するための形態】
【００１４】  以下では本発明の美顔用のマッサージ器の４つの実施例を図面に基づいて説明するが、本発明はこれ等に限定されるものではなく、本発明の思想の範囲内で工夫される種々変形例もまた本発明の権利範囲に含まれるものである。
【実施例１】
【００１５】  図１は本実施例の全体を表し、図２は内蔵する回路部分を表す。合成樹脂製の筐体１は持ち手とも成っている。この筐体１にブリッジ１０を介して別の筐体１１が副設されている。筐体１は電動モータ３３を内蔵し、この電動モータ３３の回転軸３４には重錘３５が偏心状態に設けられている。一方、筐体１１は電動モータ３６を内蔵し、筐体１１の頂部（図１では筐体１１の左端部）の外側にはブラシ車２が後述する回転軸３７によって回転自在に取り付けられている。図１では筐体１の内部を詳しくは図示しないが、筐体１は電池ボックスとなっており、図２によれば内蔵の電源電池３２は制御回路３の電源スイッチ３０を経由して、重錘３５を有する方の電動モータ３３に電力を供給し得るように配線されている。また電源電池３２は制御回路３の電源スイッチ３１を経由して、ブラシ車２を有する方の電動モータ３６に電力を供給し得るように配線されている。これ等の電源スイッチ３０も電源スイッチ３１も、その押される回数によって、電源ＯＮや、電動モータの回転のモード選択や、電源ＯＦＦやらが制御回路３で制御し得るように構成されている。回転のモードとは電動モータ３３，３６の回転スピードや、回転リズムや回転方向のことである。なお筐体１の外壁面には、上記電源スイッチ３０に対応する押しボタンスイッチ１２や上記電源スイッチ３１に対応する押しボタンスイッチ１４が設けられている。なお符号１３は電源スイッチ３０や電源スイッチ３１がＯＮ状態の時に点灯する電源ランプを指す。【００１６】  さて、電動モータ３６は筐体１１内に固定されており、電動モータ３６の回転軸３７は筐体１１の頂部（図１では筐体１１の左側部）より筐体１１外に取り出されてブラシ車２の回転部２０が取り付けられている。この回転部２０はポリエステル樹脂製に成るものであり、この回転部２０の回転面２１（図１及び図２では回転部２０の左側部）には柔軟な豚毛製のブラシ２２が植設されている。【００１７】  電源スイッチ３０をＯＮにすると電源ランプ１３が点灯すると共に、電動モータ３３が回転を開始する。これが回転すると電動モータ３３の回転軸３４に偏心状態で取り付けられた重錘３５が回転を始める。これにより筐体１の左側先端部を中心として強い振動力が発生する。一方、電源スイッチ３１をＯＮにしても電源ランプ１３が点灯すると共に電動モータ３６が回転を開始する。これが回転するとブラシ車２が回転を始める。ブラシ車２はブラシ２２の方を先にして回転を始める。ブラシ車２は筐体１１の頂部より筐体１１外に出ているため、ブラシ２２に顔を近づけるとブラシ２２が顔を撫でるように皮膚に接触して、サワサワとした柔軟さを伴ってソフトに皮膚を摩るような新感覚のマッサージ効果を得る。上述の特許第５５７８３５８号や実用新案登録第３１７０８６１号のマッサージ器による摩り方とは異なる方向の回転による異なる接し方をすることが大きな効果の違いとなって現われている。【００１８】  従って本実施例によれば、振動する筐体１の左側先端部分で顔の筋肉をマッサージしつつ、回転するブラシ２２の回転面で顔面をソフトに摩る、と言うような使い方が可能となり、従来にはない異なる２種の感触を同時に味わうことが出来るよ���になっている。これは上記新感覚のマッサージ効果と共に挙げられる大きな効果である。なおどちらか一方の電動モータのみをＯＮにする使い方も可能である。
【実施例２】
【００１９】  図３は本実施例の全体を表すが、握りやすい略玉子形状を呈する合成樹脂製の筐体４の頂部（図３では筐体４の上端部）にはブラシ車５が図示しない回転軸によって回転自在に取り付けられている。ブラシ車５は、上記回転軸の周りに回転対称に形成されている柔軟なシリコーンゴム製の複数個の羽根５１と、これ等の羽根５１の頂部（図３では羽根５１の上端部）の回転面の回転中心部に形成されている柔軟なシリコーンゴム製のブラシ５０とから成る。【００２０】  筐体４の内部は図示しないが、電動モータを備えており、電動モータの回転軸の先端部が筐体４の頂部から筐体４外に出されており、この回転軸に上述のブラシ車５が取り付けられている。また筐体４は電池ボックスとなっており、電源電池は電源スイッチを経由して上記電動モータに電力を供給し得るように配線されている。図３で符号４０は筐体４の外から筐体４の内部の図示しない電源スイッチを操作するための押しボタンスイッチ４０を指す。なお本実施例の美顔用のマッサージ器を風呂場で用いることが出来るようにしたいのであれば、筐体４の要所に防水処理を施すようにすると良い。【００２１】  筐体４の押しボタンスイッチ４０をＯＮにすると、内蔵の電動モータが回転を開始し、これによってブラシ車５が回転する。すなわちブラシ５０と羽根５１とが回転を始める。このブラシ車５は筐体４の頂部より筐体４の外に出ているため、上記ブラシ５０の部分に顔を近づけるとブラシ５０が顔を撫でるように皮膚に接触し、サワサワとした柔軟さを伴ってソフトに皮膚を摩るような新感覚のマッサージ効果が得られる。また羽根５１の回転面側（図３では羽根５１の上端部）に顔を近づけると、１枚１枚の羽根によるサワサワとした柔軟さを伴ってソフトに皮膚を摩るような新感覚のマッサージ効果が得られる。このように本実施例によれば、ブラシ５０と羽根５１とを使い分けたり同時に使用したりすることが可能である。【００２２】  なお羽根５１の側面側に顔を近づけると、この場合には上述の特許第５５７８３５８号や実用新案登録第３１７０８６１号のマッサージ器による摩り方に近い感触が得られる。
【実施例３】
【００２３】  図４は本実施例の羽根車５２の回転面を見た図であり、また図５は羽根車５２のＸ−Ｘ面を見た説明図である。筐体４１は図示せぬ電動モータを内蔵し、筐体４１の頂部（図５では筐体４１の上端部）の外側には円錐台形の回転台５３が、前記電動モータの回転軸に接続された回転軸５８によって回転自在に取り付けられている。柔軟なシリコーンゴム製の羽根５６，５７は、上記回転台５３に対して回転台５３の上面部５４と側面部５５とに両者を跨るようにして設けられている。上面部５４が上記第１の面であり、側面部５５が上記第２の面である。この羽根５６，５７は図４及び図５で表すように、側面方向の横幅（図４では回転中心部から放射方向への長さ）Ｂは同一であるものの、縦幅（図５では上下方向の幅）は羽根５７が長く（長さＡ）羽根５６が短く（長さＡ’）、羽根５６と羽根５７とは交互に且つ回転軸５８回りに回転対称に配列されている。なお回転軸５８の頂部には柔軟なシリコーンゴム製のブラシ５９が形成されている。【００２４】  上述したような各々の羽根５６，５７が回転台５３に対して、回転台５３の上面部５４と側面部５５とに設けられた構成によれば、肌をこの羽根車５３に対して羽根５６，５７の回転面側（図５では羽根５６，５７の上端部）に接触させるようにする場合と、側面部側に接触させるようにする場合とで使い分けることが出来る。図示せぬ電動モータをＯＮにすると羽根５６，５７が回転運動を行うが、この際に羽根５６，５７の肌に触れた部位が、肌の抵抗を受けることで回転方向に凸湾曲して、肌に引っ掛かるような感触を与えにくいように動作する。羽根５６はその回転面側に、凸湾曲し得る長さＡ’の部分を有しており、羽根５７はその回転面側に、凸湾曲し得る長さＡの部分を有している。羽根５６，５７は共にその側面側に、凸湾曲し得る長さＢの部分を有している。すなわち本実施例の羽根車５２は、回転する羽根５６，５７がその回転面側で肌に接する場合であっても、その側面側で肌に接する場合であっても、回転方向に良く凸湾曲して、肌に引っ掛かるような感触を与えにくいと言う特長を有する。従って本実施例は、本発明の目的を達成するものとしては、図３のものに比してより好適な実施例であると言うことが出来る。なお羽根５６，５７の側面側に顔を近づけると、上述した特許第５５７８３５８号や実用新案登録第３１７０８６１号のマッサージ器による摩り方に近い感触が得られる効果は、実施例２と同様である。
【実施例４】
【００２５】  図６は本実施例を説明するものである。筐体６には２個のブラシ車が並設されており、且つ各々のブラシ車に於いてブラシ部９，９１が回転部８，８１に対して着脱自在に設けられている点に特徴を有している。【００２６】  筐体６には１個の電動モータが内蔵されており、図示しないギヤ列を介して２本の回転軸７，７０を回転し得るように構成されている。２本の回転軸７，７０は筐体６外に出されており、この部位には回転部８，８１が取り付けられている。この回転部８，８１にはその外縁部にフランジ８０，８２が形成されており、ここには柔軟なシリコーンゴム製のブラシ部９，９１が各々外縁部に形成された中心方向への折り返し部である被せ部９０，９２を以て、上記フランジ８０，８２に被せるようにして取り付けられる。ブラシ部９，９１の図６に於ける裏側には図示せぬ柔軟なブラシが一体に形成されている。【００２７】  この構成により、電動モータをＯＮにするとブラシ部９，９１が同時に回転を始める。この２個の回転するブラシに顔を近づけると２個のブラシが顔を撫でるように皮膚に接触し、サワサワとした柔軟さを伴ってソフトに皮膚を摩るような新感覚のマッサージ効果がダブルで得られることになる。またブラシ部９，９１は回転部８，８１に対して着脱自在であるから、ブラシ部９，９１のみを交換することが出来る。従ってブラシ部９，９１を新しいものに交換したり、異なる毛足のブラシや異なる種類のブラシなど各種のブラシを付け替えて用いることが可能である。【００２８】  なお２本の回転軸７，７０を、同じ方向や互いに異なる方向に回転させる制御が可能となるように構成したり、電動モータの回転スピードや回転リズムの制御などの回転制御を行わせるように構成しても良い。
【産業上の利用可能性】
【００２９】  本発明のマッサージ器の形状や素材は任意選択が可能である。患部に適する構成を採用すれば良い。また本発明はペット用のマッサージ器として構成することが可能である。
【符号の説明】
【００３０】  １    筐体                              １０  ブリッジ
１１  筐体                              １２  押しボタンスイッチ
１３  電源ランプ                        １４  押しボタンスイッチ
２    ブラシ車                          ２０  回転部
２１  回転面                            ２２  ブラシ
３    制御回路                          ３０  電源スイッチ
３１  電源スイッチ                      ３２  電源電池
３３  電動モータ                        ３４  回転軸
３５  重錘                              ３６  電動モータ
３７  回転軸                            ４    筐体
４０  押しボタンスイッチ                ４１  筐体
５    ブラシ車                          ５０  ブラシ
５１  羽根                              ５２  羽根車
５３  回転台                            ５４  上面部
５５  側面部                            ５６  羽根
５７  羽根                              ５８  回転軸
５９  ブラシ                            ６    筐体
７    回転軸                            ７０  回転軸
８    回転部                            ８０  フランジ
８１  回転部                            ８２  フランジ
９    ブラシ車                          ９０  被せ部
９１  ブラシ車                          ９２  被せ部
【図１】
0006617958.tif 000002
【図２】
0006617958.tif 000003
【図３】
0006617958.tif 000004
【図４】
0006617958.tif 000005
【図５】
0006617958.tif 000006
【図６】
0006617958.tif 000007